(57)【要約】【課題】投写レンズに付着した塵埃等の不要物を掃拭する際の拭きムラを低減することが可能なプロジェクタを提供することを目的とする。【解決手段】プロジェクタ１００は、筐体１と、筐体１にスライド動作が可能に設置されて投写レンズ部３０の出射側開口面部３ａを開閉するレンズカバー４と、レンズカバー４の、投写レンズ部３０の出射側開口面部３ａに対向する側面に設置され、出射側開口面部３ａに略平行となる回転を行うレンズクリーナ（クリーナ部材２０）と、レンズカバー４のスライド動作に連動し、レンズクリーナを回転させる駆動部（ラック４０、ピニオン歯車４１、クリーナ歯車４２）と、を有し、レンズクリーナは、駆動部を介してレンズカバー４のスライド動作に連動し、移動および回転しながら投写レンズ部３０の出射側開口面部３ａを掃拭する。【選択図】図２
2008203595.tif 000002
【特許請求の範囲】
【請求項１】
光源から射出された光を光学変換部で画像データに基づいて映像に変換し、変換した前記映像を投写レンズ部を介して投写するプロジェクタであって、
筐体と、
前記筐体にスライド動作が可能に設置されて前記投写レンズ部の出射側開口面部を開閉するレンズカバーと、
前記レンズカバーの、前記投写レンズ部の前記出射側開口面部に対向する側面に回転自在に設置され、前記出射側開口面部に略平行となる回転を行うレンズクリーナと、
前記レンズカバーのスライド動作に連動し、前記レンズクリーナを回転させる駆動部と、
を有し、
前記レンズクリーナは、前記駆動部を介して前記レンズカバーのスライド動作に連動し、移動および回転しながら前記投写レンズ部の前記出射側開口面部を掃拭することを特徴とするプロジェクタ。
【請求項２】
請求項１に記載のプロジェクタであって、
前記駆動部は、ギヤ列を有して構成され、
前記ギヤ列は、
前記筐体に設置される第１ギヤ部と、
前記レンズカバーに回転自在に設置されて前記第１ギヤ部に噛合する第２ギヤ部と、
前記レンズクリーナに設置されて前記第２ギヤ部に噛合する第３ギヤ部と、
を有することを特徴とするプロジェクタ。
【請求項３】
請求項１または２に記載のプロジェクタであって、
前記レンズカバーが閉塞完了したとき、前記レンズクリーナは、前記投写レンズ部の前記出射側開口面部に接触しない部位に設置されることを特徴とするプロジェクタ。
【請求項４】
請求項１乃至３のいずれか一項に記載のプロジェクタであって、
前記レンズクリーナは、帯電防止処理が施されていることを特徴とするプロジェクタ。
【請求項５】
請求項１乃至４のいずれか一項に記載のプロジェクタであって、
前記レンズカバーのスライド動作中に、前記レンズクリーナに接触して前記レンズクリーナに付着した塵埃を除去する塵埃除去部を有することを特徴とするプロジェクタ。
【請求項６】
請求項５に記載のプロジェクタであって、
前記塵埃除去部は、帯電防止処理が施されていることを特徴とするプロジェクタ。
【請求項７】
請求項１乃至６のいずれか一項に記載のプロジェクタであって、
複数の前記レンズクリーナを有し、
前記複数の前記レンズクリーナは、前記レンズカバーのスライド動作に連動し、移動および回転しながら前記投写レンズ部の前記出射側開口面部を掃拭することを特徴とするプロジェクタ。
【発明の詳細な説明】
【技術分野】
【０００１】
本発明は、プロジェクタに関するものである。
【背景技術】
【０００２】
従来、プロジェクタにおけるレンズカバーは、着脱式のキャップ形状のものや、スライド式のシャッタ形状のものが知られている。これらのレンズカバーは、プロジェクタの未使用時に投写レンズ面を閉塞することで、投写レンズを保護し、塵埃等の侵入を防いでいる。
【０００３】
また、デジタルカメラ等の撮影装置において、スライド式のレンズカバーに相当する部材を有するものが特許文献１で開示されている。特許文献１では、撮影装置は、前記レンズカバーに相当する部材に、発光部や距離測定部等の撮影を補助する撮影補助部を有し、さらに、撮影補助部には、クリーニング部材（レンズクリーナ）を有することで、撮影補助部のレンズ（光学系）の光軸内への挿脱（スライド動作）に際して、レンズやレンズを保護するガラス上の不要物をクリーニング部材によって除去（掃拭）する機能を有している。
【０００４】
【特許文献１】特開２００５−２９２３４３号公報
【発明の開示】
【発明が解決しようとする課題】
【０００５】
しかし、特許文献１においては、クリーニング部材は、撮影補助部のスライド動作に伴い、直線的な動作を行うため、不要物を掃拭しきれずにレンズ上に不要物がムラとなって残った状態となるいわゆる「拭きムラ」が発生しやすいという課題があった。
【０００６】
本発明は、このような課題を解決するためになされたもので、投写レンズに付着した塵埃等の不要物を掃拭する際の拭きムラを低減することが可能なプロジェクタを提供することを目的とする。
【課題を解決するための手段】
【０００７】
上記目的を達成するために、本発明のプロジェクタは、光源から射出された光を光学変換部で画像データに基づいて映像に変換し、変換した映像を投写レンズ部を介して投写するプロジェクタであって、筐体と、筐体にスライド動作が可能に設置されて投写レンズ部の出射側開口面部を開閉するレンズカバーと、レンズカバーの、投写レンズ部の出射側開口面部に対向する側面に回転自在に設置され、出射側開口面部に略平行となる回転を行うレンズクリーナと、レンズカバーのスライド動作に連動し、レンズクリーナを回転させる駆動部と、を有し、レンズクリーナは、駆動部を介してレンズカバーのスライド動作に連動し、移動および回転しながら投写レンズ部の出射側開口面部を掃拭することを要旨とする。
【０００８】
このようなプロジェクタによれば、レンズカバーがスライド動作することに連動し、レンズカバーに回転自在に設置されたレンズクリーナは、移動しながら投写レンズ部の出射側開口面部を掃拭する。さらに、スライド動作に連動して駆動部がレンズクリーナを投写レンズ部の出射側開口面部に略平行に回転させる。よって、レンズクリーナは、移動に加えて、回転しながら、投写レンズ部の出射側開口面部に付着した塵埃等の不要物を掃拭（以降、「クリーニング」と呼ぶ）する。従って、レンズクリーナが直線的な移動を行い、クリーニングする場合に比べて、移動と回転を行いながらクリーニングするため、拭きムラを低減することができる。なお、回転自在とは、右回転および左回転のどちらの方向についても回転可能であることを意味している。
【０００９】
また、上記プロジェクタにおいて、駆動部は、ギヤ列を有して構成され、ギヤ列は、筐体に設置される第１ギヤ部と、レンズカバーに回転自在に設置されて第１ギヤ部に噛合する第２ギヤ部と、レンズクリーナに設置されて第２ギヤ部に噛合する第３ギヤ部と、を有することが好ましい。
【００１０】
このようなプロジェクタによれば、レンズカバーがスライド動作すると、第１ギヤ部に噛合する第２ギヤ部が回転し、さらに、第２ギヤ部に噛合する第３ギヤ部が回転することでレンズクリーナが回転する。よって、簡易なギヤ構成からなる駆動部により、レンズクリーナを回転させることができる。また、レンズクリーナは複数のギヤ部によって回転駆動されるので、各ギヤ部のギヤ比を所望の値に設定することによってレンズクリーナの回転速度（回転数）を設定することができる。なお、回転自在とは、右回転および左回転のどちらの方向についても回転可能であることを意味している。
【００１１】
また、上記プロジェクタにおいて、レンズカバーが閉塞完了したとき、レンズクリーナは、投写レンズ部の出射側開口面部に接触しない部位に設置されることが好ましい。
【００１２】
このようなプロジェクタによれば、レンズカバーが閉塞完了したとき、レンズクリーナは、投写レンズ部の出射側開口面部と接触しないため、レンズクリーナが投写レンズ部の出射側開口面部に接触し続ける場合に発生するレンズクリーナの変形を防ぐことができる。また、投写レンズ部の出射側開口面部から掃拭されてレンズクリーナに付着した塵埃等の不要物が、投写レンズ部の出射側開口面部に接触し続けることで、再度、出射側開口面部に付着するような不具合を防止できる。ここで、閉塞完了した状態とは、投写レンズ部の出射側開口面部を閉塞させるために所定の位置までレンズカバーをスライド動作させた状態をいう。
【００１３】
また、上記プロジェクタにおいて、レンズクリーナは、帯電防止処理が施されていることが好ましい。
【００１４】
このようなプロジェクタによれば、レンズクリーナに帯電防止処理が施されていることにより、レンズクリーナが投写レンズ部の出射側開口面部と接触して擦れても、レンズクリーナに帯電することを防止する。よって、クリーニングした後の塵埃等の不要物のレンズクリーナへの付着を低減でき、レンズクリーナのクリーニングの効率低下を抑制することができる。
【００１５】
また、上記プロジェクタにおいて、レンズカバーのスライド動作中に、レンズクリーナに接触してレンズクリーナに付着した塵埃を除去する塵埃除去部を有することが好ましい。
【００１６】
このようなプロジェクタによれば、塵埃除去部は、レンズカバーのスライド動作中にレンズクリーナに接触し、レンズクリーナに付着した塵埃を除去する。よって、レンズクリーナのクリーニングの効率低下を抑制することができる。
【００１７】
また、上記プロジェクタにおいて、塵埃除去部は、帯電防止処理が施されていることが好ましい。
【００１８】
このようなプロジェクタによれば、塵埃除去部に帯電防止処理が施されていることにより、塵埃除去部はレンズクリーナと接触して擦れても、塵埃除去部自体の帯電を防止することができる。よって、除去した後の塵埃の塵埃除去部への付着を低減でき、塵埃除去部の塵埃を除去する効率の低下を抑制することができる。
【００１９】
また、上記プロジェクタにおいて、複数のレンズクリーナを有し、複数のレンズクリーナは、レンズカバーのスライド動作に連動し、移動および回転しながら投写レンズ部の出射側開口面部を掃拭することが好ましい。
【００２０】
このようなプロジェクタによれば、複数のレンズクリーナが、投写レンズ部の出射側開口面部を掃拭することでクリーニングするため、１つのレンズクリーナを使用する場合より、クリーニング時の拭きムラを低減することが可能となる。
【発明を実施するための最良の形態】
【００２１】
以下、本発明の実施形態について説明する。
【００２２】
（第１の実施形態）
図１は、本実施形態に係るプロジェクタの概略斜視図である。図１を参照して、プロジェクタ１００の外観上の構成を説明する。
【００２３】
プロジェクタ１００は、筐体１により外装が構成されている。プロジェクタ１００の前面部には、複数のレンズ群からなる投写レンズ部３０が設置されている。なお、投写レンズ部３０の出射側開口面部には、投写レンズ部３０を構成するレンズフィルタ３が設置されている。レンズフィルタ３は、ガラス等で構成されており、投写レンズ部３０を保護している。また、レンズフィルタ３の前方には、略矩形状の開口部となる投写窓２が筐体１に形成されている。投写窓２は、投写レンズ部３０が映像を投写するための窓である。
【００２４】
また、投写窓２の近傍となる筐体１の内面側には、レンズカバー４が設置されている。プロジェクタ１００を使用しないときに、レンズカバー４によって投写レンズ部３０を閉塞することで、レンズカバー４は投写レンズ部３０を保護する。また、プロジェクタ１００を使用するときには、投写レンズ部３０を開放することで、投写レンズ部３０からの映像の投写を可能とする。なお、プロジェクタ１００の上面部で、レンズカバー４の上部近傍には、レンズカバー４をスライド動作させるためのレンズカバー操作部５が筐体１の上面から若干突出している。そして、レンズカバー操作部５を動作可能とするためのレンズカバー操作部用開口部６が筐体１に形成されている。ユーザは、レンズカバー操作部５を把持して左右にスライドさせることにより、レンズカバー４をスライドすることができる。なお、図１は、レンズカバー４によって投写レンズ部３０を略半分閉塞した状態を表している。
【００２５】
また、レンズカバー操作部５の後方には、レンズ調整用開口部９が形成されており、レンズ調整用開口部９を介して、投写レンズ部３０を構成するフォーカス調整レバー７と、ズーム調整レバー８が突出している。ユーザは、フォーカス調整レバー７を把持して左右に回転させることにより、投写映像のフォーカス調整を行うことができる。また、ユーザは、ズーム調整レバー８を把持して左右に回転させることにより、投写映像のズーム調整を行うことができる。
【００２６】
プロジェクタ１００の上面部後方には、操作部１０が設置されている。操作部１０は、キースイッチを備えており、ユーザによるプロジェクタ１００の機能操作を受け付ける。プロジェクタ１００の前面部には、リモコン受光部１１が設置されている。リモコン受光部１１は、リモートコントローラ（図示せず）を用いたユーザによるプロジェクタ１００の機能操作を受け付ける。プロジェクタ１００の前面部下方には、足調整レバー１２が設置されている。足調整レバー１２は、プロジェクタ１００の足（図示せず）を伸縮させ、プロジェクタ１００の傾斜角度を調整する。
【００２７】
図２は、レンズカバーが投写レンズ部を開放した状態を示す図であり、同図（ａ）は、平面図であり、同図（ｂ）は、断面図である。なお、図２（ａ）は、プロジェクタの前面側からレンズカバーを見たときの平面図である。図２（ｂ）は、上面側からレンズカバーを見たときの断面図である。また、説明を理解しやすくするため、要部のみを示している。図２を使用して、レンズカバー４のスライド動作に伴うクリーニング動作について説明する。
【００２８】
最初に、レンズフィルタ３をクリーニングするための構成を説明する。なお、以降の説明において、クリーニングするための構成を総称して、適宜、クリーニング機構と呼称する。
【００２９】
クリーニング機構は、レンズカバー４と、レンズクリーナと、駆動部と、塵埃除去部とを有して構成されている。駆動部は、第１ギヤ部を構成するラック４０と、第２ギヤ部を構成するピニオン歯車４１と、第３ギヤ部を構成するクリーナ歯車４２とを有して構成されている。ラック４０は、筐体１の内面側に構成される第２筐体６０の側面下部に設置される。また、ピニオン歯車４１は、レンズカバー４の内面側に回転自在に設置される。また、クリーナ歯車４２は、レンズクリーナに設置される。図２では便宜上、ピニオン歯車４１とクリーナ歯車４２とを実線で図示している。
【００３０】
レンズクリーナは、略円板形状に形成され、円板状の上面には帯電防止処理が施された毛状の繊維が植毛された繊維部２０ａを有するクリーナ部材２０で構成されている。また、クリーナ部材２０は、レンズフィルタ３に対向するレンズカバー４の側面に、繊維部２０ａがレンズフィルタ３側を向くように回転自在に設置される。また、クリーナ部材２０の円板形状の直径は、レンズフィルタ３の直径以上に設定しており、クリーナ部材２０の繊維部２０ａがレンズフィルタ３の出射側開口面部３ａ全体を覆うことが可能となっている。なお、図２では便宜上、クリーナ部材２０を実線で図示している。
【００３１】
レンズカバー４は、略長方形の板状に形成されている。そして、レンズカバー４下部となる第２筐体６０に設置するラック４０と、第２筐体６０上部に形成する図示しない案内部とにより、スライド動作が可能に保持されている。なお、レンズカバー操作部５は、レンズカバー４の上部に構成されている。また、クリーナ部材２０は、レンズカバー４の外形内に収まる形態となっている。
【００３２】
塵埃除去部は、直方体形状をしており、直方体の１面に帯電防止処理が施された毛状の繊維が植毛された繊維部５０ａを有する塵埃除去部材５０で構成されている。塵埃除去部材５０の長辺方向の長さは、クリーナ部材２０の直径以上に設定されている。塵埃除去部材５０は、前述した第２筐体６０の側面で、レンズフィルタ３の近傍に設置され、長辺方向を、レンズカバー４のスライド方向と略直交するように設置している。また、塵埃除去部材５０の繊維部５０ａは、クリーナ部材２０の繊維部２０ａ側を向くように設置している。ここで、本実施形態では、クリーナ部材２０および塵埃除去部材５０の帯電防止処理として、毛状の繊維に界面活性剤を塗布している。
【００３３】
次に、レンズカバー４のスライド動作に連動したクリーニング動作を説明する。
図２（ａ）および（ｂ）の状態は、レンズカバー４がレンズフィルタ３を完全に開放した状態を示しており、レンズカバー４はレンズフィルタ３と平面的に重ならない状態である。従って、クリーナ部材２０もレンズフィルタ３と接触していない状態となる。図２（ａ）および（ｂ）の状態において、レンズカバー操作部５を右方向（レンズフィルタ３を閉塞する方向）にスライドさせることにより、レンズカバー４がスライド動作を開始する。レンズカバー４がスライド動作すると、ラック４０上をピニオン歯車４１が回転移動する。これに伴い、ピニオン歯車４１に噛合されたクリーナ歯車４２が回転する。このクリーナ歯車４２が回転することで、クリーナ部材２０がレンズフィルタ３の出射側開口面部３ａと略平行に回転する。本実施形態では、ピニオン歯車４１とクリーナ歯車４２のギヤ比は２：１としているので、ピニオン歯車４１が１回転するとクリーナ歯車４２が２回転し、クリーナ部材２０も２回転する。
【００３４】
図３は、レンズカバーが投写レンズ部を略半分閉塞した状態を示す図であり、同図（ａ）は、平面図であり、同図（ｂ）は、断面図である。レンズカバー４をスライド動作し続けることにより、図３（ａ）および（ｂ）のように、クリーナ部材２０の毛状の繊維部２０ａは移動および回転しながらレンズフィルタ３の出射側開口面部３ａに接触を開始する。クリーナ部材２０の繊維部２０ａがレンズフィルタ３の出射側開口面部３ａに回転しながら接触することにより、レンズフィルタ３の出射側開口面部３ａに付着した塵埃等の不要物の掃拭（クリーニング）を開始する。なお、図中矢印で、移動および回転の方向を示している。
【００３５】
さらに、レンズカバー４を右方向にスライド動作させると、クリーナ部材２０は、レンズフィルタ３の出射側開口面部３ａ上を回転しながら移動して通過することにより、レンズフィルタ３の出射側開口面部３ａ全体をクリーニングする。そして、スライド動作を継続することにより、次に、クリーナ部材２０は回転しながら塵埃除去部材５０に接触する。クリーナ部材２０の繊維部２０ａが塵埃除去部材５０の繊維部５０ａに接触すると、クリーナ部材２０の繊維部２０ａに付着した塵埃等は除去される。クリーナ部材２０が塵埃除去部材５０の繊維部５０ａに回転しながら接触し、移動して通過することで、クリーナ部材２０の繊維部２０ａ全体の塵埃が除去される。
【００３６】
図４は、レンズカバーが投写レンズ部を閉塞した状態を示す図であり、同図（ａ）は、平面図であり、同図（ｂ）は、断面図である。レンズカバー４をスライド動作し続けることにより、図４（ａ）および（ｂ）の状態までレンズカバー４をスライド移動させると、レンズカバー４は図示しない移動停止機構によって移動が停止される。この状態では、レンズカバー４によりレンズフィルタ３は完全に閉塞され、クリーナ部材２０は、レンズフィルタ３および塵埃除去部材５０と接触しない位置となる。
【００３７】
以上、レンズカバー４をスライド移動することによって、レンズフィルタ３を開放状態から閉塞状態にする場合の動作について説明したが、閉塞状態から開放状態にする場合は、上述した動作が逆の順番で行われる。また、クリーニング機構の移動および回転の方向も逆となる。
【００３８】
上述した第１の実施形態によれば、以下の効果が得られる。
（１）プロジェクタ１００によれば、クリーニング機構により、レンズカバー４をスライド動作させることで、クリーナ部材２０の繊維部２０ａが、レンズフィルタ３の出射側開口面部３ａに接触した状態で回転しながら移動するため、レンズフィルタ３の出射側開口面部３ａ全体をクリーニングすることができる。また、クリーナ部材２０は回転しているため、回転せずに移動のみでクリーニングする場合に比べて、拭きムラを低減することができる。また、ユーザは、プロジェクタ１００の使用開始時や使用終了時にレンズカバー４を開閉することにより、レンズフィルタ３の出射側開口面部３ａのクリーニングを行うことができるため、意識してクリーニング操作を行う必要がなくなる。これらにより、プロジェクタ１００のレンズフィルタ３の出射側開口面部３ａに塵埃等の不要物が付着することで発生する投写映像の輝度低下や輝度ムラを防ぐことができる。
【００３９】
（２）また、プロジェクタ１００によれば、ラック４０、ピニオン歯車４１、クリーナ歯車４２という簡易な構成の駆動部により、クリーニング機構の駆動部が実現できる。さらに、ピニオン歯車４１およびクリーナ歯車４２の２つの歯車を使用し、ギヤ比を所望の値に設定することによって、クリーナ部材２０の回転速度（回転数）を設定することができる。例えば、ピニオン歯車４１に対するクリーナ歯車４２のギヤ比を１より小さくすることで、１つの歯車でクリーナ部材２０を回転させる構成とした場合と比較して、レンズカバー４の移動距離に対するクリーナ部材２０の回転数を増加させることができる。これにより、レンズフィルタ３の出射側開口面部３ａの拭き取り回数を増加させることができるため、より拭きムラを低減することができる。
【００４０】
（３）また、プロジェクタ１００によれば、レンズカバー４を閉塞完了状態にした際には、クリーナ部材２０は、レンズフィルタ３と接触しない部位に配置される。これにより、閉塞状態でクリーナ部材２０の繊維部２０ａがレンズフィルタ３の出射側開口面部３ａに接触し続けることで発生する、クリーナ部材２０の繊維部２０ａの変形を防ぐことができる。また、クリーニングによりレンズフィルタ３の出射側開口面部３ａから掃拭されてクリーナ部材２０の繊維部２０ａに付着した塵埃等の不要物が、再度、レンズフィルタ３の出射側開口面部３ａに付着することを防ぐことができる。
【００４１】
（４）また、プロジェクタ１００によれば、クリーナ部材２０は、帯電防止処理が施されている。これにより、クリーナ部材２０の繊維部２０ａがレンズフィルタ３の出射側開口面部３ａと接触して擦れても、クリーナ部材２０が帯電することを防止できる。よって、クリーニングした後の塵埃等の不要物のクリーナ部材２０への付着を低減することが可能となり、クリーナ部材２０のクリーニングの効率低下を抑制することができる。
【００４２】
（５）また、プロジェクタ１００によれば、塵埃除去部材５０を設置して、レンズカバー４をスライド動作することで、クリーナ部材２０を移動および回転させて塵埃除去部材５０の繊維部５０ａ上に接触させる。これにより、塵埃除去部材５０の繊維部５０ａは、クリーナ部材２０の繊維部２０ａに付着した塵埃を除去する。従って、クリーナ部材２０に塵埃が付着することによるクリーニングの効率低下を抑制することができる。また、ユーザは、プロジェクタ１００の使用開始時や使用終了時にレンズカバー４を開閉することにより、クリーナ部材２０の塵埃の除去を行うことができるため、意識して塵埃除去の操作を行う必要がなくなる。
【００４３】
（６）また、プロジェクタ１００によれば、塵埃除去部材５０は、帯電防止処理が施されている。これにより、塵埃除去部材５０の繊維部５０ａがクリーナ部材２０の繊維部２０ａと接触して擦れても、塵埃除去部材５０が帯電することを防止できる。よって、塵埃を除去した後の塵埃の塵埃除去部材５０への付着を低減することが可能となり、塵埃除去部材５０の塵埃除去の効率低下を抑制することができる。
【００４４】
（第２の実施形態）
以下、本発明の第２の実施形態について説明する。
【００４５】
図５は、第２の実施形態に係るプロジェクタのレンズカバーが投写レンズ部を開放した状態を示す平面図である。なお、図５は、プロジェクタの前面側からレンズカバーを見たときの平面図である。本実施形態に係るプロジェクタ２００は、レンズクリーナおよび駆動部の構成が第１の実施形態と異なる。その他の構成は、第１の実施形態と同様としている。第１の実施形態では、１つのレンズクリーナを構成する１つのクリーナ部材２０を使用している。しかし、本実施形態では、２つのレンズクリーナを構成するクリーナ部材２１およびクリーナ部材２２を使用している。図５を参照して、クリーナ部材２１およびクリーナ部材２２を用いた場合のクリーニング機構について説明する。
【００４６】
クリーニング機構は、レンズカバー４と、２つのレンズクリーナと、駆動部と、塵埃除去部とを有して構成されている。レンズカバー４と、塵埃除去部については第１の実施形態と同様であるため、説明は省略する。
【００４７】
駆動部は、第１ギヤ部を構成するラック４０と、第２ギヤ部を構成するピニオン歯車４３と、第３ギヤ部を構成する２つのクリーナ歯車４４および４５とを有して構成されている。ピニオン歯車４３は、レンズカバー４の内面側に設置される。クリーナ歯車４４および４５は、２つのレンズクリーナにそれぞれ設置される。図５では便宜上、ピニオン歯車４３とクリーナ歯車４４および４５とを実線で図示している。
【００４８】
２つのレンズクリーナは、それぞれ、略円板形状に形成され、円板状の上面には帯電防止処理が施された毛状の繊維が植毛された繊維部２１ａを有するクリーナ部材２１、および、同様に毛状の繊維が植毛された繊維部２２ａを有するクリーナ部材２２で構成されている。クリーナ部材２１および２２は、レンズフィルタ３に対向するレンズカバー４の側面に、繊維部２１ａおよび２２ａがレンズフィルタ３側を向くように設置される。
【００４９】
さらに、クリーナ部材２１および２２は、レンズカバー４がスライド方向に移動した際のクリーナ部材２１および２２の軌跡（以降、「スライド軌跡」と呼ぶ」）が、互に一部重複するように設置される。また、クリーナ部材２１および２２のスライド軌跡を合成した上下方向の長さは、レンズフィルタ３の直径以上に設定しており、クリーナ部材２１および２２の繊維部２１ａおよび２２ａがレンズフィルタ３の出射側開口面部３ａ全体を拭き取ることが可能となっている。また、クリーナ部材２１および２２は、レンズカバー４の外形内に収まる形態となっている。なお、図５では便宜上、クリーナ部材２１および２２を実線で図示している。
【００５０】
次に、レンズカバー４のスライド動作に連動したクリーニング動作を説明する。
図５の状態は、レンズカバー４がレンズフィルタ３を完全に開放した状態を示しており、レンズカバー４はレンズフィルタ３と平面的に重ならない状態である。従って、クリーナ部材２１および２２もレンズフィルタ３と接触していない状態となる。
【００５１】
図５の状態において、レンズカバー操作部５を右方向（レンズフィルタ３を閉塞する方向）にスライドさせることにより、レンズカバー４がスライド動作を開始する。レンズカバー４がスライド動作すると、ラック４０上をピニオン歯車４３が回転移動する。これに伴い、ピニオン歯車４３に噛合されたクリーナ歯車４４および４５が回転する。このクリーナ歯車４４および４５が回転することで、クリーナ部材２１および２２がレンズフィルタ３の出射側開口面部３ａと略平行に回転する。本実施形態では、ピニオン歯車４３とクリーナ歯車４４のギヤ比は２：１とし、ピニオン歯車４３とクリーナ歯車４５のギヤ比も２：１としているので、ピニオン歯車４３が１回転するとクリーナ歯車４４および４５が２回転し、クリーナ部材２１および２２も２回転する。
【００５２】
レンズカバー４をスライド動作し続けることにより、クリーナ部材２１および２２の毛状の繊維部２１ａおよび２２ａは移動および回転しながらレンズフィルタ３の出射側開口面部３ａに接触する。クリーナ部材２１および２２の繊維部２１ａおよび２２ａがレンズフィルタ３の出射側開口面部３ａに回転しながら接触することにより、レンズフィルタ３の出射側開口面部３ａ全体をクリーニングする。
【００５３】
上述した第２の実施形態によれば、第１の実施形態での効果（１）〜（６）と同様の効果を奏することができる。他に、以下の効果が得られる。
プロジェクタ２００は、２つのレンズクリーナを構成するクリーナ部材２１および２２の繊維部２１ａおよび２２ａがレンズカバー４のスライド動作に連動し、移動および回転しながらレンズフィルタ３の出射側開口面部３ａに接触する。そして、２つのレンズクリーナを構成するクリーナ部材２１および２２が一部重複してレンズフィルタ３をクリーニングする。これにより、１つのレンズクリーナを構成する１つのクリーナ部材を使用する場合より、クリーニング時の拭きムラを低減することが可能となる。
【００５４】
以上、本発明の実施形態について説明したが、本発明はこうした実施形態に何ら限定されるものではなく、本発明の要旨を逸脱しない範囲において様々な形態で実施し得ることは勿論である。以下に変形例を述べる。
【００５５】
（変形例１）第１の実施形態では、クリーナ部材２０は、毛状の繊維が植毛された繊維部２０ａを有するものとしたが、フェルト等の不織布や、スポンジ等としてもよい。また、獣毛等を用いた刷毛やブラシ等としてもよい。同様に、第２の実施形態では、クリーナ部材２１および２２は、毛状の繊維が植毛された繊維部２１ａおよび２２ａを有するものとしたが、フェルト等の不織布や、スポンジ等としてもよい。また、獣毛等を用いた刷毛やブラシ等としてもよい。
【００５６】
（変形例２）上記実施形態では、塵埃除去部材５０は、毛状の繊維が植毛された繊維部５０ａを有するものとしたが、フェルト等の不織布や、スポンジ等としてもよい。また、獣毛等を用いた刷毛やブラシ等としてもよい。
【００５７】
（変形例３）第１の実施形態では、投写レンズ部３０の出射側開口面部はレンズフィルタ３の出射側開口面部３ａとしたが、レンズフィルタ３を有しないものである場合には、クリーナ部材２０は、投写レンズ部３０の出射側開口面部をクリーニングするものとしてもよい。同様に第２の実施形態でも、投写レンズ部３０の出射側開口面部はレンズフィルタ３の出射側開口面部３ａとしたが、レンズフィルタ３を有しないものである場合には、クリーナ部材２１および２２は、投写レンズ部３０の出射側開口面部をクリーニングするものとしてもよい。
【００５８】
（変形例４）上記実施形態では、帯電防止処理として、毛状の繊維に界面活性剤を塗布したものとしたが、繊維に界面活性剤を練り込んだものとしてもよい。また、導電性の繊維を用い、電気的に接地することで帯電しようとする静電気を放電するものとしてもよい。
【００５９】
（変形例５）第１の実施形態ではレンズクリーナは１つとし、第２の実施形態ではレンズクリーナは２つとしたが、レンズクリーナは３つ以上の複数としてもよい。これにより、複数のレンズクリーナを構成するクリーナ部材が重複してレンズフィルタ３をクリーニングするため、さらに、クリーニング時の拭きムラを低減することが可能となる。
【００６０】
（変形例６）上記実施形態では、第２ギヤ部は１つのピニオン歯車で構成されるものとしたが、第２ギヤ部は複数の歯車によって構成されるものとしてもよい。また、第３ギヤ部は１つまたは２つの歯車によって構成されるものとしたが、第３ギヤ部は複数の歯車によって構成されるものとしてもよい。これにより、歯車の組み合わせの自由度が増し、ギヤ比の設定や回転方向を変化させることで、クリーナ部材２０、または、クリーナ部材２１および２２の回転方向や回転速度を変化させることが可能となる。また、複数のレンズクリーナを用いる場合にも、それぞれのレンズクリーナの回転方向や回転速度を別々に設定することが可能となる。よって、クリーニングの効率の最適化や、構造設計の最適化が可能となる。
【００６１】
（変形例７）第１の実施形態では、クリーナ部材２０は円板形状としたが、直方体形状（棒状）としてもよい。そして、レンズフィルタ３の出射側開口面部３ａ全体を拭き残しが無いように回転させるものとする。こうすれば、クリーナ部材２０を小型、軽量化することが可能となり、プロジェクタ１００としても、軽量化が可能となる。同様に、第２の実施形態では、クリーナ部材２１および２２は円板形状としたが、直方体形状（棒状）としてもよい。そして、レンズフィルタ３の出射側開口面部３ａ全体を拭き残しが無いように回転させるものとする。こうすれば、クリーナ部材２１および２２を小型、軽量化することが可能となり、プロジェクタ２００としても、軽量化が可能となる。
【００６２】
（変形例８）第１の実施形態では、プロジェクタ１００には、レンズカバー操作部５を備えており、ユーザが手動でレンズカバー４をスライドさせるものとしたが、レンズカバー４は電動でスライドするものとしてもよい。例えば、プロジェクタ１００は、駆動部としてモータを備え、モータからの動力を第２ギヤ部を構成するピニオン歯車４１に伝達し、ピニオン歯車４１が第１ギヤ部を構成するラック４０上を回転することで、レンズカバー４をスライドさせる。また、ピニオン歯車４１が回転することで、ピニオン歯車４１に噛合された第３ギヤ部を構成するクリーナ歯車４２が回転する。このクリーナ歯車４２が回転することで、レンズクリーナが回転する。さらに、プロジェクタ１００は、モータを駆動するスイッチを備えるものとする。こうすれば、ユーザは、スイッチ操作によって、簡易にレンズカバー４の開閉および投写レンズ部３０の出射側開口面部３ａのクリーニングを行うことができる。
【００６３】
同様に、第２の実施形態では、プロジェクタ２００にも、レンズカバー操作部５を備えており、ユーザが手動でレンズカバー４をスライドさせるものとしたが、レンズカバー４は電動でスライドするものとしてもよい。例えば、プロジェクタ２００は、駆動部としてモータを備え、モータからの動力を第２ギヤ部を構成するピニオン歯車４３に伝達し、ピニオン歯車４３が第１ギヤ部を構成するラック４０上を回転することで、レンズカバー４をスライドさせる。また、ピニオン歯車４３が回転することで、ピニオン歯車４３に噛合された第３ギヤ部を構成するクリーナ歯車４４および４５が回転する。このクリーナ歯車４４および４５が回転することで、レンズクリーナが回転する。さらに、プロジェクタ２００は、モータを駆動するスイッチを備えるものとする。こうすれば、ユーザは、スイッチ操作によって、簡易にレンズカバー４の開閉および投写レンズ部３０の出射側開口面部３ａのクリーニングを行うことができる。
【図面の簡単な説明】
【００６４】
【図１】第１の実施形態に係るプロジェクタの概略斜視図。
【図２】レンズカバーが投写レンズ部を開放した状態を示す図、（ａ）は、平面図、（ｂ）は、断面図。
【図３】レンズカバーが投写レンズ部を略半分閉塞した状態を示す図、（ａ）は、平面図、（ｂ）は、断面図。
【図４】レンズカバーが投写レンズ部を閉塞した状態を示す図、（ａ）は、平面図、（ｂ）は、断面図。
【図５】第２の実施形態に係るプロジェクタのレンズカバーが投写レンズ部を開放した状態を示す平面図。
【符号の説明】
【００６５】
１…筐体、２…投写窓、３…レンズフィルタ、３ａ…出射側開口面部、４…レンズカバー、５…レンズカバー操作部、６…レンズカバー操作部用開口部、７…フォーカス調整レバー、８…ズーム調整レバー、９…レンズ調整用開口部、１０…操作部、１１…リモコン受光部、１２…足調整レバー、２０，２１，２２…クリーナ部材、２０ａ，２１ａ，２２ａ…繊維部、３０…投写レンズ部、４０…ラック、４１，４３…ピニオン歯車、４２，４４，４５…クリーナ歯車、５０…塵埃除去部材、５０ａ…繊維部、６０…第２筐体、１００，２００…プロジェクタ。
【図１】
2008203595.tif 000003
【図２】
2008203595.tif 000004
【図３】
2008203595.tif 000005
【図４】
2008203595.tif 000006
【図５】
2008203595.tif 000007